(57)【要約】【課題】機能画像について倍率変更表示処理を行うことができる情報処理装置、情報処理方法、およびプログラムを提供する。【解決手段】操作指示を入力する操作入力部としてズームアウトボタン１５やズームインボタン１６と、画像表示時には操作入力部による操作指示を基に当該画像の倍率変更表示処理を行い、装置の機能に対応する機能画像の表示時には操作入力部による操作指示を基に当該機能画像の倍率変更表示処理を行う制御部４０とを設ける。【選択図】図２
2006005829.tif 000002
【特許請求の範囲】
【請求項１】
操作指示を入力する操作入力手段と、
画像表示時には前記操作入力手段による操作指示を基に当該画像の倍率変更表示処理を行い、装置の機能に対応する機能画像の表示時には前記操作入力手段による操作指示を基に当該機能画像の倍率変更表示処理を行う制御手段と
を有する情報処理装置。
【請求項２】
情報処理装置の情報処理方法であって、
操作指示を入力する第１のステップと、
画像表示時には前記第１のステップによる操作指示を基に当該画像の倍率変更表示処理を行い、装置の機能に対応する機能画像の表示時には前記第１のステップによる操作指示を基に当該機能画像の倍率変更表示処理を行う第２のステップと
を有する情報処理装置の情報処理方法。
【請求項３】
情報処理装置に実行させるためのプログラムであって、
操作指示を入力する第１のステップと、
画像表示時には前記第１のステップによる操作指示を基に当該画像の倍率変更表示処理を行い、装置の機能に対応する機能画像の表示時には前記第１のステップによる操作指示を基に当該機能画像の倍率変更表示処理を行う第２のステップと
を情報処理装置に実行させるプログラム。
【発明の詳細な説明】
【技術分野】
【０００１】
本発明は、情報処理装置、情報処理方法、およびプログラムに関し、特に、例えばディジタルカメラ装置、ディジタルビデオ装置等に内蔵する小画面にメニュー画像等の機能画像を表示する情報処理装置、情報処理方法、およびプログラムを提供に関するものである。
【背景技術】
【０００２】
近年、各種機能を有するディジタルスチルカメラやディジタルビデオ装置等において、機器の高機能化および小型化が進んでいる。
その高機能化により機能設定等のメニュー項目数が増加しており、装置に内蔵する小型画面にその表示を行う装置が知られている（例えば、特許文献１参照）。
上述した装置では、視認性向上のため小型画面内で選択されたメニュー項目についてのみ拡大表示を行う。
【特許文献１】特開２００２−２９７２７８号公報
【発明の開示】
【発明が解決しようとする課題】
【０００３】
ところで、例えば屋内等でカメラ装置を操作する場合には、比較的小さなメニュー表示でも視認することができるが、例えば屋外等でカメラ装置を操作する場合には、小型画面内の上述した選択されたメニュー項目の他のメニュー項目についても、視認性向上のため拡大表示を行うことができる装置が望まれている。
【０００４】
本発明は、かかる事情に鑑みてなされたものであり、その目的は、機能画像について倍率変更表示処理を行うことができる情報処理装置、情報処理方法、およびプログラムを提供することにある。
【課題を解決するための手段】
【０００５】
前記目的を達成するために、本発明の第１の観点の情報処理装置は、操作指示を入力する操作入力手段と、画像表示時には前記操作入力手段による操作指示を基に当該画像の倍率変更表示処理を行い、装置の機能に対応する機能画像の表示時には前記操作入力手段による操作指示を基に当該機能画像の倍率変更表示処理を行う制御手段とを有する。
【０００６】
さらに、前記目的を達成するために、本発明の第２の観点の情報処理方法は、情報処理装置の情報処理方法であって、操作指示を入力する第１のステップと、画像表示時には前記第１のステップによる操作指示を基に当該画像の倍率変更表示処理を行い、装置の機能に対応する機能画像の表示時には前記第１のステップによる操作指示を基に当該機能画像の倍率変更表示処理を行う第２のステップとを有する。
【０００７】
さらに、前記目的を達成するために、本発明の第３の観点のプログラムは、情報処理装置に実行させるためのプログラムであって、操作指示を入力する第１のステップと、画像表示時には前記第１のステップによる操作指示を基に当該画像の倍率変更表示処理を行い、装置の機能に対応する機能画像の表示時には前記第１のステップによる操作指示を基に当該機能画像の倍率変更表示処理を行う第２のステップとを情報処理装置に実行させる。
【発明の効果】
【０００８】
本発明によれば、機能画像について拡大表示処理や縮小表示処理等の倍率変更表示処理を行うことができる情報処理装置、情報処理方法、およびプログラムを提供することができる。
【発明を実施するための最良の形態】
【０００９】
図１は、本発明の一実施形態に係る情報処理装置の外観を示す図である。図２は、図１に示した情報処理装置の機能ブロック図である。
【００１０】
本実施形態に係る情報処理装置１は、画像表示時には操作入力手段による操作指示を基に当該画像の倍率変更表示処理、例えば拡大表示処理や縮小表示処理を行い、装置の機能に対応する機能画像の表示時には、操作入力手段による操作指示を基に当該機能画像の倍率変更表示処理を行う。
情報処理装置１は、例えばディジタルスチルカメラ装置（ディジタルカメラ）やディジタルビデオ装置、携帯電話装置やＰＤＡ（Personal Digital Assistant）等の情報処理装置である。
本実施形態では情報処理装置としてディジタルカメラにつき説明する。
【００１１】
本実施形態に係るディジタルカメラ（情報処理装置）１は、例えば図１に示すように、本体部２の背面部に、表示部３としてのＬＣＤ１１、モードダイヤル１２、十字キー１３、ボタン群１４、ズームアウトボタン１５、およびズームインボタン１６等を備える。
【００１２】
また、図２に示すように、ディジタルカメラ１は、レンズ３１、レンズ制御部３２、アイリス３３、シャッタ３４、タイミングジェネレータ３５、電荷結合素子（ＣＣＤ：charge coupled device）３６、相関二重サンプリング（ＣＤＳ：correlated double sampling）３７、Ａ／Ｄ変換部３８、ホワイトバランス（ＷＢ）アンプ３９、制御部４０、測光素子４１、充電・発光制御部４２、ストロボ４３、記録部４４、ＲＯＭ（read only memory）４５、外部インタフェース４６、ＲＡＭ（Random Access Memory）４７、ＥＥＰＲＯＭ（Electronically Erasable and Programmable ROM）４８、ドライブ４９、およびメモリスロット５０等により構成される。
【００１３】
ズームアウトボタン１５およびズームインボタン１６は、本発明に係る操作入力手段の一具体例に相当し、制御部４０は本発明に係る制御手段の一具体例に相当する。
【００１４】
表示部３は、例えばＬＣＤ（液晶表示装置）１１等の表示装置により構成され、例えば制御部４０の制御により、画像がメニュー等の機能に対応した機能画像等を表示する。例えば表示部３は、図１に示すように本体部２の背面部の中央部近傍に形成されている。
【００１５】
モードダイヤル１２は、モードを選択する場合に操作され、制御部４０は選択されたモードに応じた動作を行う。例えばモードは、例えば静止画撮影モード、動画撮影モード、再生モード、設定モード等を有する。
【００１６】
十字キー１３は、表示部３に表示される機能画像（メニュー）や、カーソル等を操作する場合に操作され、操作に応じた操作指示を示す信号を、制御部４０に入力する。十字キー１３は、例えば図１に示すように、本体部２の背面の表示部３の右側に設けられている。
【００１７】
ボタン群１４は、例えばユーザにより操作され、操作に応じた操作指示を示す信号を制御部４０に出力する。
ボタン群１４は、例えばメニューボタン１４ｍを含む。メニューボタン１４ｍが操作されると、制御部４０は、機能に対応する機能画像、つまりメニューの表示制御を行う。
ボタン群１４は、例えば図１に示すように、表示部３と十字キー１３の間に形成されている。
【００１８】
操作入力部としてのズームアウトボタン１５およびズームインボタン１６は、例えば、表示部３のＬＣＤ１１に表示される画像の倍率変更表示処理、詳細には、縮小表示処理や拡大表示処理を行わせる際に操作される。
【００１９】
機能画像（メニュー）の表示時には、ズームアウトボタン１５やズームインボタン１６は、例えば表示部３のＬＣＤ１１に表示される機能画像の縮小表示や拡大表示を行う際に操作される。
また、撮影時には、ズームアウトボタン１５やズームインボタン１６は、例えば撮像時の倍率を設定する際に操作される。
ズームアウトボタン１５およびズームインボタン１６は、例えば図１に示すように、本体部２のモードダイヤル１２の右上側に設けられている。
【００２０】
レンズ３１は、例えばレンズ制御部３２の制御により位置が制御され、例えば被写体からの光をＣＣＤ３６に結像させる。
レンズ制御部３２は、例えば制御部４０からの制御信号に応じてレンズ３１の位置を制御する。
アイリス３３は、例えば制御部４０から入力される制御信号に応じて、開口径を制御して、レンズ３１を介した光のＣＣＤ３６への光量を制御する。
シャッタ３４は、例えば制御部４０からの制御信号に応じて開閉する。
タイミングジェネレータ３５は、制御部４０の制御により、タイミング信号をＣＣＤ３６およびＣＤＳ３７に出力する。
【００２１】
ＣＣＤ３６は、受光した光の強度を電気信号に変換する。
また、ＣＣＤ３６は、タイミングジェネレータ３５から供給されるタイミング信号を基に、蓄積された電気信号をＣＤＳ３７に出力する。
ＣＣＤ３６に含まれる雑音は、リセット雑音を低減するものである。ＣＣＤ３６の出力波形に含まれる雑音は、リセット雑音（ＣＣＤ３６が内部に有する図示しない電荷検出用差動アンプのリセット時に発生する雑音）がほとんどであり、ＣＤＳ３７は、このリセット雑音を低減するものである。
【００２２】
ＣＣＤ３６の出力波形は、例えばリセット期間、信号期間、フィールドスルー期間の３つの期間に分けられ、信号期間には映像信号とリセット雑音が、フィールドスルー期間にはリセット雑音のみが存在する。したがって、ＣＤＳ３７は、この２つの期間の信号を異なる２つのパルスを用いて各々サンプリングし、その後、両信号を減算することにより、リセット雑音が低減された映像信号を得て、Ａ／Ｄ変換部３８に出力する。
【００２３】
Ａ／Ｄ変換部３８は、例えば入力されたＲＧＢ信号のカラー信号を、ディジタル信号に変換して、ＷＢアンプ３９に出力する。
ＷＢアンプ３９は、例えば制御部４０の制御により、Ａ／Ｄ変換部３８から入力された制御信号を基に入力された画像信号に、ホワイトバランス係数を乗算し、制御部４０に出力する。
【００２４】
測光素子４１は、例えばフォトダイオード等の受光素子からなり、外光の強度を測定し、測定結果を示す信号を制御部４０に出力する。
充電・発光制御部４２は、ストロボ４３の発光に必要な電力を充電し、制御部４０から入力される制御信号を基にストロボ４３の発光を制御する。
ストロボ４３は、充電・発光制御部４２から供給された電力により、充電・発光制御部４２の制御により発光を行う。
【００２５】
記録部４４は、制御部４０から供給される画像データを記録し、また記録されている画像データを読み出して制御部４０に出力する。また、ディジタルカメラ１が音声データの記録機能を有する場合には、記録部４４は音声データを記録し、また記録されている音声データを読み出して制御部４０に出力する。
【００２６】
ＲＯＭ４５は、例えば制御部４０が実行するプログラムＰＲＧや初期設定情報等を有する。プログラムＰＲＧは、本発明に係る機能を有し、例えば制御部４０はプログラムＰＲＧを実行することにより本発明の機能を実現する。
【００２７】
外部インタフェース４６は、制御部４０の制御により、外部機器とデータ通信を行うインタフェースであり、例えばＵＳＢ（Universal Serial Bus）や、ＩＥＥＥ（Institute of Electrical and Electronics Engineers）１３９４等に規定されたインタフェースにより構成される。
【００２８】
ＲＡＭ４７は、例えば制御部４０により、ワークスペースとして用いられる。
ＥＥＰＲＯＭ４８は、例えば制御部４０が実行する、例えば本発明に係る設定情報、詳細には表示設定情報や、レンズ制御部３２、アイリス３３、シャッタ３４、タイミングジェネレータ３５等に対する制御に必要なパラメータ等を記憶する。
【００２９】
ドライブ４９は、例えば磁気ディスク６１、光ディスク６２、光磁気ディスク６３等の外部記憶媒体が接続され、制御部４０の制御により、記録媒体からデータを読み出して制御部４０に出力したり、データ等を記録媒体に書き込む。
【００３０】
メモリスロット５０は、例えば半導体メモリ７１等の外部記憶装置が着脱可能に接続され、装着時には制御部４０の制御により半導体メモリ７１とデータ通信を行う。
制御部４０は、装置全体を統括的に制御する。
制御部４０は、例えばモードダイヤル１２、十字キー１３、ボタン群１４、ズームアウトボタン１５、ズームインボタン１６等の操作指示に基づいて、本発明に係る機能を実現する。
【００３１】
例えば制御部４０は、画像表示時には、操作入力部からの操作指示を基に、当該画像の倍率変更表示処理を行う。
詳細には、制御部４０は、画像表示時には、例えばズームアウトボタン１５やズームインボタン１６からの操作指示を示す信号を基に、当該画像の倍率変更表示処理、例えば拡大表示処理や縮小表示処理を行い、処理結果の画像を表示部３のＬＣＤ１１に表示させる。
【００３２】
また、制御部４０は、装置の機能に対応する機能画像の表示時には、操作入力部による操作指示を基に当該機能画像の倍率変更表示処理を行う。
詳細には、制御部４０は、装置の機能に対応する機能画像の表示時には、ズームアウトボタン１５やズームインボタン１６からの操作指示を示す信号を基に、当該機能画像の倍率変更表示処理、例えば拡大表示処理や縮小表示処理を行い、処理結果の機能画像を表示部３のＬＣＤ１１に表示させる。
【００３３】
機能画像は、例えば装置の機能を示すアイコン、マーク、記号等を示す画像である。また、機能画像は、いわゆる機能の一覧を示すメニュー表示画像を示す。詳細には、本実施形態に係る機能画像は、グラフィカルユーザインタフェースとして機能する画像である。
【００３４】
制御部４０は、例えば画像および機能画像の表示時には、操作入力部、例えばズームアウトボタン１５やズームインボタン１６による操作指示を基に当該画像および機能画像を連動して拡大表示処理または縮小表示処理を行う。
【００３５】
また、制御部４０は、操作入力部による操作指示に基づいて、表示数を示す設定情報に応じた個数の機能画像を表示領域内に表示制御する。
詳細には、例えば制御部４０は、操作入力部、例えばズームアウトボタン１５やズームインボタン１６による操作指示に基づいて、表示数を示す設定情報に応じた個数の機能画像を、表示部３の表示領域内に表示制御する。
【００３６】
具体的には、例えば予め表示領域内に表示する機能画像の表示数（メニューの項目数）を所定個に設定すると、制御部４０は、ズームアウトボタン１５やズームインボタン１６による操作指示に基づいて、所定個以内の機能画像を表示領域内に表示する。
上述した設定情報は、例えば十字キー１３やボタン群１４等の操作入力部からの信号に応じて、変更可能である。
【００３７】
また、この機能画像の表示数は３，４個程度や、３個以内であることが好ましい。こうすることにより制御部４０は、表示部３のＬＣＤ１１の表示領域内に、３個以内、多くとも３，４個程度の機能画像を表示するので、ユーザにとって視認性が向上する。
【００３８】
また、制御部４０は、複数の機能画像のうち、選択指示に応じた機能画像を選択し、当該選択した機能画像に関連する関連画像の表示処理を行い、操作入力部による操作指示を基に当該関連画像の倍率変更表示処理を行う。
【００３９】
詳細には、例えば制御部４０は、複数の機能画像のうち、例えば十字キー１３やボタン群１４等の操作入力部からの選択指示に応じた機能画像を選択し、当該選択した機能画像に関連する関連画像、例えば設定情報等の表示処理を行い、例えばズームアウトボタン１５やズームインボタン１６による操作指示を基にその関連画像の倍率変更表示処理を行う。
【００４０】
図３は、図１に示したディジタルカメラの動作の一具体例を説明するためのフローチャートである。図３を参照しながらディジタルカメラ１の本発明に係る動作の一具体例を、制御部４０の動作を中心に説明する。
【００４１】
ステップＳＴ１において、初期設定を行う。制御部４０は、例えばＥＥＰＲＯＭ４８やＲＯＭ４５等に記憶された初期変数や、設定情報等の情報を読み出して、それら情報に基づいて初期設定処理を行う。
【００４２】
ステップＳＴ２において、例えば制御部４０は、撮影時や画像表示時には、表示部３のＬＣＤ１１に画像を表示させる表示処理を行う。
【００４３】
ステップＳＴ３において、制御部４０は、操作入力部が操作されたか否かを判別する。制御部４０は、画像表示時に、操作入力部が操作された場合には、その操作指示を基に当該画像の倍率変更表示処理を行う。
【００４４】
詳細には、制御部４０は、例えば、操作入力部としてのズームインボタン１６が操作されたと判別した場合には、表示部３に表示されている画像の倍率変更表示処理、例えば拡大表示処理を行い、処理結果を表示部３のＬＣＤ１１に表示させ、ステップＳＴ６の処理に進む。
【００４５】
一方、ステップＳＴ３の判別において、操作入力部としてのズームアウトボタン１５が操作されたと判別した場合には、制御部４０は、表示部３に表示されている画像の倍率変更表示処理、例えば縮小表示処理を行い、処理結果を表示部３のＬＣＤ１１に表示させ、ステップＳＴ６の処理に進む。
【００４６】
また、ステップＳＴ３の判別において、制御部４０は、操作入力部が操作されていないと判別した場合には、ステップＳＴ６の処理に進む。
【００４７】
ステップＳＴ６において、制御部４０は、例えばメニュー表示として機能画像を表示させるか否かを判別する。
詳細には、制御部４０は、ボタン群１４のメニューボタン１４ｍが操作されたか否かを判別し、操作されていないと判別した場合には、ステップＳＴ２の処理に戻る。
【００４８】
一方、ステップＳＴ６の判別において、メニューボタン１４ｍが操作されたと判別した場合には、制御部４０は、所定の機能に対応した機能画像を表示部３に表示させる（ステップＳＴ７）。詳細には、制御部４０は所定の機能を示すメニューを表示部３に表示させる。この際、制御部４０は、例えば表示数を示す設定情報に応じた個数の機能画像を表示領域内に表示制御する。
【００４９】
図４は、図１に示したディジタルカメラの表示部に表示される機能画像の一具体例を示す図である。
制御部４０は、例えば表示部３のＬＣＤ１１に図４に示すような機能画像を表示させる。本具体例では機能画像として、メニュー表示画像を説明する。
【００５０】
制御部４０は、例えば表示数を示す設定情報が３個を示す場合、つまり機能画像の表示数が３個を示す場合には、図４に示すように表示部３の表示領域３ＡＲ内に、メニューバーＭＢとして、３個の機能画像ＭＢ１〜ＭＢ３を表示させる。
【００５１】
また、制御部４０は、複数の機能画像のうち、例えばボタン群１４や十字キー１３等の操作入力部からの選択指示に応じた機能画像を選択し、当該選択した機能画像に関連する関連画像の表示処理を行う。
詳細には、制御部４０は、例えば図４に示すように、現在カーソルが選択している（図中、反転表示されている）メニュー項目ＭＢ２に関連する関連画像として、機能名Ｌ０、並びに設定情報を示すリスト項目Ｌ１〜Ｌ３を含むリストボックスＬを表示部３に表示する。
【００５２】
また、制御部４０は、メニューバーＭＢの左右には、図４に示すように、前ページの存在があることを示すアイコンＢＰや、次ページの存在があることを示すアイコンＦＰを表示し、リストボックスの上下には、上方向にリスト項目の存在があることを示すアイコンＵＰと下方向にリスト項目の存在があることを示すアイコンＤＰを表示する。
【００５３】
この前後ページの存在を示すアイコンＢＰ，ＦＰを表示することにより、メニューバーＭＢに表示するメニュー項目を３項目のみにし、メニュー３項目でＬＣＤ１１の横方向のサイズを有効利用できる。
また、上下方向にリスト項目の存在を示すアイコンＵＰ，ＤＰを表示することにより、リストボックスＬに表示するリスト項目を多くとも３項目のみにし、ＬＣＤ１１の縦方向のサイズを有効利用できる。
【００５４】
また、制御部４０は、さらに関連画像Ｌのうち、選択された関連画像を、他の関連画像よりも大きく表示させる。詳細には、制御部４０は、例えば図４に示すリスト項目Ｌ２を他のリスト項目Ｌ１，Ｌ３よりも大きく表示する。こうすることにより、より視認性が向上する。
【００５５】
ステップＳＴ８において、制御部４０は、装置の機能に対応する機能画像の表示時には、操作入力部による操作指示が入力されたか否かを判別する。制御部４０は操作指示が入力された場合には、その操作指示を基に当該機能画像の倍率変更表示処理を行う。
【００５６】
図５（Ａ），（Ｂ）は、図１に示したディジタルカメラの倍率変更表示処理を説明するための図である。図５（Ａ）は機能画像の拡大表示処理を説明するための図である。図５（Ｂ）は機能画像の縮小表示処理を説明するための図である。
【００５７】
詳細には、制御部４０は、操作入力部としてのズームインボタン１６が操作されたと判別した場合には、例えば図５（Ａ）に示すように、表示部３に表示されている機能画像や関連画像、例えばメニューバーＭＢやリスト項目Ｌの倍率変更表示処理、例えば拡大表示処理を行い、処理結果を表示部３のＬＣＤ１１に表示させ、ステップＳＴ１１の処理に進む。
【００５８】
一方、制御部４０は、操作入力部としてのズームアウトボタン１５が操作されたと判別した場合には、例えば図５（Ｂ）に示すように、表示部３に表示されている機能画像や関連画像、例えばメニューバーＭＢやリスト項目Ｌの倍率変更表示処理、例えば縮小表示処理を行い、処理結果を表示部３のＬＣＤ１１に表示させ、ステップＳＴ１１の処理に進む。
【００５９】
この際、制御部４０は、画像Ｐおよび機能画像ＭＢの表示時には、操作入力部による操作指示を基に当該画像Ｐおよび機能画像ＭＢを連動して拡大表示処理または縮小表示処理を行ってもよい。
この表示部３に表示している画像Ｐは、例えばＣＣＤ３６等の撮像部により撮像された画像や、記録部４４が記憶する画像等である。
【００６０】
また、ステップＳＴ８の判別において、制御部４０は、操作入力部が操作されていないと判別した場合には、ステップＳＴ１１の処理に進む。
【００６１】
図６は、図１に示したディジタルカメラの動作の他の具体例を説明するための図である。
制御部４０は、例えば操作入力部からの操作指示および表示部３の表示領域３ＡＲの大きさに応じて、機能画像の表示個数や、関連画像の表示個数を制御してもよい。
【００６２】
詳細には、制御部４０は、例えば操作入力部としてズームアウトボタン１５から操作指示が入力された場合には、機能画像の縮小表示処理を行い、図６に示すように、表示領域３ＡＲ内により多くの機能画像を表示するために、メニューバーＭＢとして６個の機能画像ＭＢ０〜ＭＢ５を表示部３の表示領域３ＡＲ内に表示させる。
【００６３】
また、詳細には、制御部４０は、例えば操作入力部としてズームアウトボタン１５から操作指示が入力された場合には、関連画像の縮小表示処理を行い、図６に示すように、表示領域３ＡＲ内により多くの関連画像を表示するために、リスト項目Ｌとして５個のリスト項目Ｌ０〜Ｌ４を表示部３の表示領域３ＡＲ内に表示させる。
【００６４】
また、ズームインボタン１６が操作された場合には、制御部４０は、機能画像や関連画像の拡大表示処理を行い、表示部３の表示領域３ＡＲの大きさに応じた表示個数の機能画像や関連画像を表示部３の表示領域ＡＲ３内に表示を行う。
【００６５】
ステップＳＴ１１において、制御部４０は、ボタン群１４や十字キー１３による選択指示を示す信号に基づいて選択された機能画像や関連画像に対応する機能処理を行う。
【００６６】
ステップＳＴ１２において、制御部４０は、例えばメニュー表示として機能画像を非表示させるか否かを判別する。
詳細には、制御部４０は、ボタン群１４のメニューボタン１４ｍが操作されたか否かを判別し、操作されていないと判別した場合には、ステップＳＴ７の処理に戻る。
【００６７】
一方、ステップＳＴ１２の判別において、メニューボタン１４ｍが操作されたと判別した場合には、制御部４０は、メニュー表示を抑止（非表示）、詳細には機能画像や関連画像の表示を抑止し（ＳＴ１３）、ステップＳＴ２の処理に戻る。
【００６８】
以上、説明したように、操作指示を入力する操作入力部としてズームアウトボタン１５やズームインボタン１６と、画像表示時には操作入力部による操作指示を基に当該画像の倍率変更表示処理を行い、装置の機能に対応する機能画像の表示時には操作入力部による操作指示を基に当該機能画像の倍率変更表示処理を行う制御部４０とを設けたので、機能画像について倍率変更表示処理を行うことができ、視認性が向上する。
【００６９】
また、制御部４０は、撮像時や、表示部３に表示されている画像の倍率を変更するための操作入力部であるズームアウトボタン１５やズームインボタン１６が操作されると、機能画像（メニュー）表示時にその機能画像の倍率変更表示処理、詳細には拡大表示処理や縮小表示処理を行うので、ユーザは画像表示時と同様な操作により、機能画像（メニュー）の拡大表示や縮小表示を行わせることができ、新たな操作を覚えるなどの煩雑な操作を行う必要がない。
【００７０】
また、画像表示時と、機能画像（メニュー）の倍率変更表示処理を共通の操作入力部、つまりズームアウトボタン１５、ズームインボタン１６からの操作指示を示す信号に基づいて行うので、新たに機能画像用の操作部を設けることがなく、装置本体部を小型化することができる。
【００７１】
また、制御部４０は、画像および機能画像の表示時には、操作入力部による操作指示を基に当該画像および機能画像を連動して拡大表示処理または縮小表示処理を行うので、画像および機能画像の視認性が向上する。また、画像および機能画像を同時に拡大表示または縮小表示を行うので、ユーザにとって違和感が少ないユーザインタフェースを提供することができる。
【００７２】
また、制御部４０は、操作入力部による操作指示に基づいて、表示数を示す設定情報に応じた個数の機能画像を表示領域内に表示制御するので、例えば表示部３の表示領域３ＡＲ内に３個程度の機能画像を大きく表示することで、視認性が向上する。
【００７３】
また、制御部４０は、複数の機能画像のうち、選択指示に応じた機能画像を選択し、当該選択した機能画像に関連する関連画像の表示処理を行い、操作入力部による操作指示を基に当該関連画像の倍率変更表示処理を行うので、関連画像に関しても視認性が向上する。
【００７４】
また、制御部４０は、操作入力部からの操作指示、および表示領域の大きさに応じて、前記機能画像の表示個数を制御するので、例えば、表示領域の大きさに応じた表示個数の機能画像を表示部３に表示することができ、例えば縮小表示処理を行うと表示個数を多く、拡大表示処理を行うと表示個数を少なく制御すると、より機能画像（メニュー）の視認性が向上する。
【００７５】
なお、本発明は本実施形態に限られるものではなく、任意好適な改変が可能である。
上述した構成や動作は本実施形態に限られるものではない。
【００７６】
また、制御部４０は、操作入力部の操作指示に応じて、機能画像や関連画像それぞれを独立して表示処理してもよい。
図７は、図１に示したディジタルカメラの表示処理の一具体例を説明するための図である。
詳細には、制御部４０は、例えば図７に示すように設定情報や操作入力部の操作指示に応じて、メニューバーＭＢに３個の関連画像ＭＢ０〜ＭＢ２、２個のメニュー項目Ｌ５，Ｌ６を表示してもよい。こうすることでユーザは嗜好に応じた表示個数で、機能画像（メニュー）や関連画像を表示することができる。
【産業上の利用可能性】
【００７７】
本発明は、例えばディジタルカメラ装置、ディジタルビデオ装置等に内蔵する小画面にメニュー画像等の機能画像を表示する情報処理装置、表示制御方法、およびプログラムにも適用できる。
【図面の簡単な説明】
【００７８】
【図１】本発明の一実施形態に係る情報処理装置の外観を示す図である。
【図２】図１に示した情報処理装置の機能ブロック図である。
【図３】図１に示したディジタルカメラの動作の一具体例を説明するためのフローチャートである。
【図４】図１に示したディジタルカメラの表示部に表示される機能画像の一具体例を示す図である。
【図５】（Ａ），（Ｂ）は、図１に示したディジタルカメラの倍率変更表示処理を説明するための図である。（Ａ）は機能画像の拡大表示処理を説明するための図である。（Ｂ）は機能画像の縮小表示処理を説明するための図である。
【図６】図１に示したディジタルカメラの動作の他の具体例を説明するための図である。
【図７】図１に示したディジタルカメラの表示処理の一具体例を説明するための図である。
【符号の説明】
【００７９】
１…情報処理装置（ディジタルカメラ）、２…本体部、３…表示部、１１…ＬＣＤ、１２…モードダイヤル、１３…十字キー、１４…ボタン群、１４ｍ…メニューボタン、１５…ズームアウトボタン、１６…ズームインボタン、３１…レンズ、３２…レンズ制御部、３３…アイリス、３４…シャッタ、３５…タイミングジェネレータ、３６…電荷結合素子（ＣＣＤ：charge coupled device）、３７…相関二重サンプリング（ＣＤＳ）、３８…Ａ／Ｄ変換部、３９…ホワイトバランス（ＷＢ）アンプ、４０…制御部、４１…測光素子、４２…充電・発光制御部、４３…ストロボ、４４…記録部、４５…ＲＯＭ、４６…外部インタフェース、４７…ＲＡＭ、４８…ＥＥＰＲＯＭ、４９…ドライブ、５０…メモリスロット。
【図１】
2006005829.tif 000003
【図２】
2006005829.tif 000004
【図３】
2006005829.tif 000005
【図４】
2006005829.tif 000006
【図５】
2006005829.tif 000007
【図６】
2006005829.tif 000008
【図７】
2006005829.tif 000009